(57)【要約】      （修正有）【課題】ソーラーパネルを電源として揺動する動く広告と、必要に応じて分離自在に設置できる視読広告との組み合わせ構造に係るソーラー振り子広告による販売促進装置を提供する。【解決手段】後面を取り付け板１とした台板２の前面に、リード線ａを持つソーラーパネル３を取り付けた広告媒体保持板４を衝立して広告媒体保持体Ａとし、当該広告媒体保持体Ａのコ形空間に、リード線ａに結線するコイル５を跨ぐ鉄片６を下端にして中央の枢着軸７を中心に上部の広告媒体保持部を左右に揺動する揺動杆９を支承した広告揺動杆函Ｂを設置してなる広告媒体保持体Ａと広告揺動函Ｂの組み合わせて構成する。【選択図】図１
0003144367.tif 000002
【実用新案登録請求の範囲】
【請求項１】
後面を取り付け板（１）とした台板（２）の前面に、リード線（ａ）を持つ固定補助板を兼ねたソーラーパネル（３）を取り付けた広告媒体保持板（４）を衝立して広告媒体保持体（Ａ）とし、広告媒体保持板（４）には広告内容を表示する広告媒体（ｂ）を固定するものとし、そのコ形空間に、リード線（ａ）に結線するコイル（５）を跨ぐ鉄片（６）を下端にして中央の枢着軸（７）を中心に上部の広告媒体（ｃ）を貼る広告媒体保持部（８）を左右に揺動する揺動杆（９）を支承した広告揺動杆函（Ｂ）を設置してなる広告媒体保持体（Ａ）と広告揺動函（Ｂ）の組み合わせからなるソーラー振り子広告による販売促進装置。
【請求項２】
広告媒体保持体（Ａ）の取り付け板（１）に吸盤（ｐ）を着脱自在に取り付け、台板（２）の下面に着脱自在の吸盤（ｑ）と高さ調整ネジ（ｒ）を設けてなる請求項１記載のソーラー振り子広告による販売促進装置。
【考案の詳細な説明】
【技術分野】
【０００１】  本考案は、ソーラーパネルを電源として揺動する動く広告と、必要に応じて分離自在に設置できる視読広告との組み合わせ構造に係るソーラー振り子広告による販売促進装置に関する。
【背景技術】
【０００２】  一般に店頭に陳列した商品を販売するに当たって、商品は消費者が自由に選ぶことになるが、実際には選択に迷うことが多い現状がある。【０００３】  自動販売機の中で幾つかの新製品をアピールして販売促進する時や、回転寿司の回り来る皿の寿司を強調して「おすすめ品」をアピールする場合、店側の自信商品或は店長おすすめ商品などをスポット的にアピールして消費者に関心を惹かせ、迷うことなく購入意欲をそそらせることは、特に新商品の場合の販売促進方法としては効果がある。【０００４】  店頭に陳列する販売商品で消費者の購買意欲を促し特に新商品などに関心を惹かせるための広告方法としては、商品その物に広告を取り付けたり更には広告を揺動させて消費者の関心を惹かせるなどがあり、例えば実用新案登録第３１０９５２１号によって提案されている。（特許文献１）
【特許文献１】実用新案登録第３１０９５２１号公報
【考案の開示】
【考案が解決しようとする課題】
【０００５】  特許文献１のものは、ハウジング内に回転自在に支承した表示板の揺動レバーを、交互に反転させて表裏面を交互に表示するようにしたことを特徴としたものであるが、モーターと歯車及びリンクによる複雑な機構としたもので、ハウジングと可動レバーは一体化構造で必要に応じての分離設置はできない。【０００６】  本考案は、一体にして使用する広告媒体保持体（Ａ）と広告揺動杆函（Ｂ）を必要に応じて分離して設置が可能ならしめ、広告効果を多様化させるもので、電源とするソーラーパネルを取り付け、広告の内容表示板を兼ねる広告媒体保持体（Ａ）と広告媒体を取り付ける揺動杆を揺動させる広告揺動杆函（Ｂ）を組み合わせた構造を特徴とするものである。
【課題を解決するための手段】
【０００７】  本考案は、後面を取り付け板（１）とした台板（２）の前面に、リード線（ａ）を持つ固定補助板を兼ねたソーラーパネル（３）を取り付けた広告媒体保持板（４）を衝立して広告媒体保持体（Ａ）とし、広告媒体保持板（４）には広告内容を表示する広告媒体（ｂ）を固定するものとし、そのコ形空間に、リード線（ａ）に結線するコイル（５）を跨ぐ鉄片（６）を下端にして中央の枢着軸（７）を中心に上部の広告媒体（ｃ）を貼る広告媒体保持部（８）を左右に揺動する揺動杆（９）を支承した広告揺動杆函（Ｂ）を設置してなる広告媒体保持体（Ａ）と広告揺動函（Ｂ）の組み合わせからなるソーラー振り子広告による販売促進装置とした。【０００８】  広告媒体保持体（Ａ）の取り付け板（１）には着脱自在の吸盤（ｐ）を取り付け、台板（２）の下面に着脱自在の吸盤（ｑ）と高さ調整ネジ（ｒ）を設け、広告媒体保持体（Ａ）を水平に保持して固定するようにし、揺動杆（９）の揺動運動を妨げないようにする。吸盤（ｐ）の代わりにフックを付けるもよい。
【考案の効果】
【０００９】  本考案によれば、ソーラーパネルの光電池を電源とする電磁コイルの磁力と鉄片との簡単な揺動作動で、動く広告を現出できる効果があり、更に、内容を表示する静止広告の広告媒体（ｂ）を取り付ける広告媒体保持板（４）をからなる広告媒体保持体（Ａ）と動く広告の広告揺動函（Ｂ）の組み合わせとなしたから、通常は一体に組み合わせて動く広告で特定商品を動的にアピールして消費者の関心を惹き、同時にその効能内容を広告媒体（ｂ）で確認納得させることにより販売を促進する効果と共に、例えば回転寿司など、必要に応じて、指し指形状の絵を動く広告媒体として使用する広告揺動函（Ｂ）の揺動広告と分離して、目的商品に添わせて置いた広告媒体保持体（Ａ）を追尾させ、その静止広告を視読させて取り込む意欲を促す効果など多様な使用態様を生み出す効果がある。
【考案を実施するための最良の形態】
【００１０】  本考案は、取り付け板（１）を持つ台板（２）に、リード線（ａ）を持つソーラーパネル（３）を取り付けた広告媒体保持板（４）を衝立した広告媒体保持体（Ａ）と、当該広告媒体保持体（Ａ）のコ形空間に設置する、リード線（ａ）に結線するコイル（５）を跨ぐ鉄片（６）を下端にして中央の枢着軸（７）を中心に上部の広告媒体保持部（８）を左右に揺動する揺動杆（９）を支承した広告揺動杆函（Ｂ）の組み合わせの構造としたもので、広告媒体保持板（４）には広告媒体（ｂ）を取り付け、広告媒体保持部（８）には広告媒体（ｃ）を貼る。【００１１】  使用に当たって、ソーラーパネルの光電池を電源とする電磁コイルの磁力と鉄片との簡単な揺動作動で動く広告を現出でき、必要に応じて静止の広告を保持した広告媒体保持体（Ａ）と揺動する広告の広告揺動函（Ｂ）を分離して設置位置をずらし、商品に添わせた広告媒体保持体（Ａ）の広告媒体保持板（４）で広告内容を静止状態で視読させる。【００１２】  本考案の広告媒体保持体（Ａ）と広告揺動函（Ｂ）の材質は、金属板，アクリル板，厚紙など硬い材質であれば種類を問わない。【００１３】  一般的に店頭に並ぶ商品は消費者が自由に選んで購入するが、実施には選ぶのに迷うことが多く、この場合、店側として「店長おすすめ」とか「新製品」「お買い得」とかの表示をすれば、消費者の選択の手助けとなり販売促進や販売拡大につながることも多い。【００１４】  本考案に於ては、揺動杆の広告媒体保持部（８）に取り付けた広告媒体（ｃ）を揺動させることによって店頭や自動販売機内の目当ての商品を消費者にアピールし、商品の選択や購買意欲を促進させる。【００１５】  自動販売機ではデスプレイ缶の中或は後面に広告揺動函（Ｂ）を格納し、広告媒体保持部（８）に取り付けた広告媒体（ｃ）を立体文字又はイラストとして揺動させる。この場合、ソーラーパネルは上部に設置するが、ソーラー固定台をパネルに新設してもよい。【００１６】  広告揺動函（Ｂ）を不透過性のパネルで隠し、注視効果をより向上させるもよく、軽量な造作物でも広告揺動函が揺動可能に設置できるスペースを保持した固定台を備えたのぼでも良い。【００１７】  ベルトに乗った商品が動いて来る回転寿司の場合は、選ぶのも商品内容を確かめるのもほぼ瞬間的であるため、取り込むチャンスを逃がしてしまうことが多い。【００１８】  この場合、例えば、回転寿司の回り来る皿の中の品を選ぶ場合、広告揺動函（Ｂ）で、「店長おすすめ」，「わさび抜き」とか一言表示で初めにアピール商品を動きのある指さし広告で揺動させながら指示し、続いて追尾移動して来るお目当ての品に、広告揺動函（Ｂ）と分離して添わせて置いた広告媒体保持体（Ａ）の広告媒体保持板（４）の広告媒体（ｂ）によって品物の内容を視読してもらい消費者に納得できる表示を提供する。【００１９】  取り付けに当たっては、広告媒体保持体（Ａ）を下面或は取り付け板（１）の着脱自在の吸盤（ｂ）で吸着固定し、調整ネジ（ｃ）で高さを調整する。フックで引き掛けても良い。【００２０】  本考案の、揺動杆の広告媒体保持部（８）に取り付ける広告媒体は、文字の外、指し指や様々な絵模様を形状に沿って切り抜いたものを、広告媒体保��板（４）には内容を書いた表板を着脱自在に貼り付けるものとし、屋内は勿論、全体を防水処理して屋外にも設置が可能であり、大きさは大小を問わない。【００２１】  従って、店頭に並べた商品や自動販売機内の品物の選択やアピールは勿論、特に、消費者の手前に順次回り来る商品を瞬時に取り込む回転寿司の場合は、揺動広告と静止広告の位置を適宜組み合わせることにより、多様な使用態様を工夫して消費者の意に叶った選択に対応することが出来、引いては購買意欲の促進に繋がるものである。【００２２】  本考案によれば、広告が揺動して消費者の注意を集めた上で静止広告で充分内容を表示出来ると共に、電源は太陽や照明の僅かな光りのソーラーであるから微弱電流なので電力を殆ど必要としない省エネルギー装置である。
【図面の簡単な説明】
【００２３】
【図１】本考案の分離した状態の斜視図である。
【図２】本考案の一体にした状態の側面図である。
【図３】本考案の一体にした状態の正面図である。
【符号の説明】
【００２４】      Ａ  広告媒体保持体
Ｂ  広告揺動杆函
１  取り付け板
２  台板
３  ソーラーパネル
４  保持板
５  コイル
６  鉄片
７  枢着軸
８  広告媒体保持部
９  揺動杆
ａ  リード線
ｂ  広告媒体
ｃ  広告媒体
ｐ  吸盤
ｑ  吸盤
ｒ  高さ調整ネジ
【図１】
0003144367.tif 000003
【図２】
0003144367.tif 000004
【図３】
0003144367.tif 000005